(57)【要約】      （修正有）【課題】腰、腹、臀部を同時に鍛錬でき、体積が小さく軽量な多機能フィットネスマシンを提供する。【解決手段】両端に外側へと突出したハンドルフレーム２を設置し、地面に置くことができるベースフレーム体１からなり、ベースフレーム体１内には、盆状で頂点部が開口状の収容設置体２０を形成し、収容設置体２０内には外嵌縁２１と中央嵌柱２２を設置し、それらと相対する頂点端シート３底部の相対する部位には、内層と外層にあり異なるバネ２３、２４をそれぞれ嵌めて設置して連接し、ベースフレーム体１を地面に置き、使用者はシート３上に座り、両足を前に伸ばし、両端に外向きに突出するハンドルフレーム２を両手で握り、腰、腹、臀部を前後、左右、及び回すように力を加え運動する。【選択図】図２
0003182332.tif 000002
【実用新案登録請求の範囲】
【請求項１】
多機能フィットネスマシンは、ベースフレーム体、ハンドルフレーム、シートにより構成し、
前記ベースフレーム体は、両端に、外側へと突出した前記ハンドルフレームを設置し、地面に置くことができるベース体で、前記ベースフレーム体内には、盆状で頂点部が開口状の収容設置体を形成し、
前記収容設置体内には、外嵌縁と中央嵌柱を設置し、しかもそれらと相対する頂点端シート底部の相対する部位には、リング状で内層と外層にあり異なるバネをそれぞれ嵌めて設置し、これにより連接することを特徴とする多機能フィットネスマシン。
【請求項２】
前記シートと前記収容設置体との間の、内層と外層にあり異なるバネには、蛇腹管カバーを被せて遮蔽することを特徴とする請求項１に記載の多機能フィットネスマシン。
【考案の詳細な説明】
【技術分野】
【０００１】
本考案は多機能フィットネスマシンに関し、特に両端に外側へと突出したハンドルフレームを設置し、地面に置くことができるベースフレーム体を設計し、ベースフレーム体内には、盆状で頂点部が開口状の収容設置体を形成し、収容設置体内には外嵌縁と中央嵌柱を設置し、しかもそれらと相対する頂点端シート底部の相対する部位には、内層と外層にあり異なるバネをそれぞれ嵌めて設置して連接し、ベースフレーム体を地面に置き、使用者はシート上に座り、両足を前に伸ばし、両端に外向きに突出するハンドルフレームを両手で握り、腰、腹、臀部を前後、左右、及び回すように力を加え、内層と外層にあり異なるバネとベースフレーム体との間の浮き上がった状態での連接と弾力を利用し、シートを連動して、傾斜しながら回る移動状態を生み出し、こうして運動し、腰、腹、臀部を同時に鍛錬することができる多機能性を実現し、しかも体積が小さく、軽量であるという長所を備える多機能フィットネスマシンに関する。
【背景技術】
【０００２】
現代人の多くは、自身のアンバランスな食生活、運動場所及び運動量の不足を気に掛けている。そのため、健康を重視する人が増えており、フィットネスマシンもこうして誕生した。しかし、現在のところ、腰、腹、臀部を同時に鍛錬できる器具は存在しないし、あったとしても、高価で、重く、体積が大きいため場所を取るという問題がある。
【考案の概要】
【考案が解決しようとする課題】
【０００３】
本考案が解決しようとする課題は、腰、腹、臀部を同時に鍛錬でき、しかも体積が小さく、軽量である多機能フィットネスマシンを提供することである。
【課題を解決するための手段】
【０００４】
請求項１の考案は、多機能フィットネスマシンは、ベースフレーム体、ハンドルフレーム、シートにより構成し、
前記ベースフレーム体は、両端に、外側へと突出した前記ハンドルフレームを設置し、地面に置くことができるベース体で、前記ベースフレーム体内には、盆状で頂点部が開口状の収容設置体を形成し、
前記収容設置体内には、外嵌縁と中央嵌柱を設置し、しかもそれらと相対する頂点端シート底部の相対する部位には、リング状で内層と外層にあり異なるバネをそれぞれ嵌めて設置し、これにより連接することを特徴とする多機能フィットネスマシンとしている。
請求項２の考案は、前記シートと前記収容設置体との間の、内層と外層にあり異なるバネには、蛇腹管カバーを被せて遮蔽することを特徴とする請求項１に記載の多機能フィットネスマシンとしている。
【考案の効果】
【０００５】
本考案の多機能フィットネスマシンは、腰、腹、臀部を同時に鍛錬することができ、しかも体積が小さく、軽量である。
【図面の簡単な説明】
【０００６】
【図１】本考案実施例の立体図である。
【図２】本考案実施例の立体分解図である。
【図３】本考案実施例の断面図である。
【図４】本考案使用実施例の立体模式図である。
【図５】本考案使用実施例の立体模式図である。
【図６】本考案使用実施例の立体模式図である。
【図７】本考案使用実施例の立体模式図である。
【図８】本考案使用実施例の立体模式図である。
【図９】本考案使用実施例の立体模式図である。
【図１０】本考案使用実施例の立体模式図である。
【図１１】本考案使用実施例の立体模式図である。
【図１２】本考案使用実施例の立体模式図である。
【図１３】本考案使用実施例の立体模式図である。
【図１４】本考案使用実施例の立体模式図である。
【図１５】本考案使用実施例の立体模式図である。
【考案を実施するための形態】
【０００７】
本考案の技術内容、構造特徴、達成する目的を詳細に説明するため、以下に実施例を挙げ並びに図面を組み合わせて説明する。
【０００８】
図に示すように、本考案の多機能フィットネスマシンは、ベースフレーム体１、ハンドルフレーム２、シート３により構成する。
【０００９】
ベースフレーム体１は、両端に外側へと突出したハンドルフレーム２を設置し、地面に置くことができるベース体である。
【００１０】
ベースフレーム体１内の中央には、盆状で頂点部が開口状の収容設置体２０を形成する。収容設置体２０内には、外嵌縁２１と中央嵌柱２２を設置する。しかも、それらと相対する頂点端シート３底部の相対する部位には、リング状で内層と外層にあり異なるバネ２３、２４をそれぞれ嵌めて設置し、これにより連接する。
【００１１】
また別に美観のため、シート３と収容設置体２０との間の内層と外層にあり異なるバネ２３、２４には、蛇腹管カバー２５を被せて遮蔽する。
【００１２】
実際の操作、使用時には、使用者はベースフレーム体１を地面の上に置き、シート３上に座る。この際には、両足を前に伸ばし、両手で両端に外向きに突出するハンドルフレーム２を握る。さらに、腰、腹、臀部を前後、左右、及び回すように力を加え、シート３と収容設置体２０との間の内層と外層にあり異なるバネ２３、２４の、浮き上がった状態での連接と弾力を利用し、シート３を連動して、傾斜しながら回る移動状態を生み出す。こうして、運動し、腰、腹、臀部を鍛錬することができ、しかも全体は体積が小さく、軽量であるという特色を備える。
【００１３】
本考案の構造及び装置は、市場及び刊行物において未見のもので、腰、腹、臀部の鍛錬を達成できる他、体積が小さく軽量であるという長所をも備える。
【００１４】
以上述べたことは、本考案の実施例にすぎず、本考案の実施の範囲を限定するものではなく、本考案の権利請求の範囲に基づきなし得る同等の変化と修飾は、いずれも本考案の権利のカバーする範囲内に属するものとする。
【符号の説明】
【００１５】
１  ベースフレーム体
２  ハンドルフレーム
３  シート
２０  収容設置体
２１  外嵌縁
２２  中央嵌柱
２３、２４  バネ
２５  蛇腹管カバー
【図１】
0003182332.tif 000003
【図２】
0003182332.tif 000004
【図３】
0003182332.tif 000005
【図４】
0003182332.tif 000006
【図５】
0003182332.tif 000007
【図６】
0003182332.tif 000008
【図７】
0003182332.tif 000009
【図８】
0003182332.tif 000010
【図９】
0003182332.tif 000011
【図１０】
0003182332.tif 000012
【図１１】
0003182332.tif 000013
【図１２】
0003182332.tif 000014
【図１３】
0003182332.tif 000015
【図１４】
0003182332.tif 000016
【図１５】
0003182332.tif 000017